(57)【要約】【課題】  塵芥に起因する不具合の発生が抑制されて、装置の信頼性が高められる起伏堰装置を提供する。【解決手段】  扉体４の各補強部材６の各水路上流側端部６ａが支持ブロック１８の上部に形成されたストッパ３６に当接されて、当該扉体４の起立側の回動動作が制限される。これにより、従来の起伏堰装置において扉体４の起立側の回動動作を制限するために用いられていた引止帯が廃止されて、引止帯に水中の塵芥が絡み付くことに起因する扉体４の動作不良が解消されることにより、扉体４が確実に動作されて当該装置１の信頼性が高められる。【選択図】  図１
2005344469.tif 000002
【特許請求の範囲】
【請求項１】
河床と扉体との間に設けられる袋体が膨張又は収縮されることにより、前記扉体が起立又は倒伏されて水位が制御される起伏堰装置であって、前記扉体の上流側端部に設けられて、前記水路の幅方向に対して平行に配置される軸部と、前記河床に設けられて、前記軸部が回動可能に支持される軸受部と、前記河床に設けられて、前記軸部回りの起立方向へ回動される前記扉体に当接されて前記扉体の起立開度が制限されるストッパと、前記河床と前記扉体との間に架設されて前記ストッパの上方に配置される水密ゴム板と、を具備することを特徴とする起伏堰装置。
【請求項２】
前記軸部と前記軸受部とが、前記河床に設けられて前記扉体が設置される掘り下げ部に配設されることを特徴とする請求項１に記載の起伏堰装置。
【請求項３】
前記袋体の被固定部が、前記軸受部の直下に配置されることを特徴とする請求項１又は２に記載の起伏堰装置。
【発明の詳細な説明】
【技術分野】
【０００１】
本発明は、起伏堰装置に関し、特に、河床と扉体との間に設けられる袋体が膨張又は収縮されて扉体が起立又は倒伏されることにより水位が制御される起伏堰装置に関する。
【背景技術】
【０００２】
従来から、河床と扉体との間に設けられる袋体が膨張又は収縮されて、当該扉体が起立又は倒伏される起伏堰装置が知られている（例えば、特許文献１参照。）。このような起伏堰装置では、袋体にガス（空気）が給気されて袋体が膨張されることにより、該袋体によって扉体の背面が押圧されて、扉体が水路幅方向へ延びる軸線の回りに回動される。これにより、扉体が水路上流へ向けて起立されて、水流が堰き止められることにより水路上流の水位が上昇される。また、上記起伏堰装置では、扉体が起立された状態（水路の開度が最小の状態）で、袋体内のガスが排気されて袋体が収縮されることにより、扉体が水路幅方向へ延びる軸線の回りに回動される。これにより、扉体が水路下流へ向けて倒伏されて、水路上流の水位が下降される。一般に、このような起伏堰装置では、一端が扉体の背面に固定されると共に他端が河床に固定される引止帯が水路幅方向に所定間隔で設けられて、扉体の起立動作時に引止帯が緊張されて扉体の回動動作が制限されることにより、当該扉体が起立された状態に維持される。
【０００３】
上記従来の起伏堰装置では、引止帯が水路の水流中に設けられるため、扉体の起立時又は回動動作時には引止帯に塵芥が絡み付いてしまう。このように、引止帯に塵芥が絡み付いてしまうと、扉体が適正に起立されずに装置が機能されない虞がある。また、複数本の引止帯の長さを適正に調節するのは、極めて煩雑、且つ困難な作業である。そして、各引止帯の長さが適正に調節されていない場合には、特定の引止帯に過大な負荷が作用して、当該引止帯が破損される虞がある。
【特許文献１】特開２００４−１０９３３号公報（段落番号０００８〜００１６、図２）
【発明の開示】
【発明が解決しようとする課題】
【０００４】
そこで本発明は、上記事情に鑑みてなされたもので、塵芥に起因する不具合の発生が抑制されて、装置の信頼性が高められる起伏堰装置を提供することを目的とする。
【課題を解決するための手段】
【０００５】
上記目的を達成するために、本発明のうち請求項１に記載の発明は、河床と扉体との間に設けられる袋体が膨張又は収縮されることにより、扉体が起立又は倒伏されて水位が制御される起伏堰装置であって、扉体の上流側端部に設けられて、水路の幅方向に対して平行に配置される軸部と、河床に設けられて、軸部が回動可能に支持される軸受部と、河床に設けられて、軸部回りの起立方向へ回動される扉体に当接されて扉体の起立開度が制限されるストッパと、河床と扉体との間に架設されてストッパの上方に配置される水密ゴム板と、を具備することを特徴とする。
請求項２に記載の発明は、請求項１に記載の起伏堰装置において、軸部と軸受部とが、河床に設けられて扉体が設置される掘り下げ部に配設されることを特徴とする。
請求項３に記載の発明は、請求項１又は２に記載の起伏堰装置において、袋体の被固定部が、軸受部の直下に配置されることを特徴とする。
【０００６】
従って、請求項１に記載の発明では、袋体が膨張されて該袋体によって扉体の背面が押圧されることにより、扉体が軸部の回りに起立方向へ回動される。そして、扉体がストッパに当接されて扉体の回動動作が制止されることにより、扉体の開度が制限される。また、河床と扉体との間に架設される水密ゴムによって、水路上流の水、塵芥、土砂が扉体と河床との間に流入されるのが防止される。
請求項２に記載の発明では、軸部及び軸受部が河床よりも低い位置（掘り下げ部）に配置されるため、当該軸部及び軸受部に水流中の塵芥が絡み付くことが防止される。
請求項３に記載の発明では、袋体が軸受部の直下で固定されるため、袋体が膨張又は収縮される際に、当該袋体と扉体とが相対運動されて双方が擦れ合う量が少なくなる。
【発明の効果】
【０００７】
請求項１に記載の発明によれば、引止帯が廃止されて、調整等の施工が容易になると共に、塵芥に起因する不具合の発生が抑制されて装置の信頼性が高められる。
請求項２に記載の発明によれば、塵芥に起因する不具合の発生が抑制されて、装置の信頼性が高められる。
請求項３に記載の発明によれば、袋体の破損を防ぐことができる。
【発明を実施するための最良の形態】
【０００８】
本発明の一実施の形態を図１〜図４に基づいて説明する。図１及び図３に示されるように、本起伏堰装置１は、河床２が掘り下げられて掘り下げ部３が設けられて、該掘り下げ部３に鋼製の扉体４が設置される。該扉体４は、当該扉体４の起立時に、当該起伏堰装置１よりも水路上流（以下、単に水路上流と称す。）を流れる水の流れを堰き止めるスキンプレート５を有し、該スキンプレート５の正面（扉体４の起立時に水路上流に向けられる側の面）には、縦方向（図４に示される扉体４が倒伏された状態における水路の長さ方向であって、図４における左右方向。）に相互に平行に延びる複数の補強部材６が設けられる。また、上記扉体４は、該補強部材６の各水路上流側端部６ａがスキンプレート５から突出されて、各補強部材６の各水路上流側端部６ａには、軸部８が貫通されて固着される。
【０００９】
また、図１及び図３に示されるように、上記扉体４は、スキンプレート５の水路下流側端部１４が当該扉体４の背面（扉体４の起立時に水路下流に向けられる側の面）側に屈折されて剛性が高められており、スキンプレート５の屈折部内側には、水路幅方向（図１における紙面視方向）に複数個（本実施の形態では２個）のリブ１５が配設される。そして、上記扉体４は、各リブ１５の端面に、スキンプレート５の水路下流側端部１４から突出されるスポイラ１６が設けられて、該スポイラ１６によって、起立時にスキンプレート５を越える水流の水脈による当該扉体４の振動が防止される。また、上記扉体４は、水路の側部９の側のスキンプレート５の縁部１０に、該縁部１０に沿って側部水密ゴム１１が設けられる。そして、図２に示されるように、該側部水密ゴム１１は、一側が固定板１２及びボルト１３によって上記スキンプレート５の縁部１０に固定されて、他側が、扉体４が起立された状態での水路上流側に屈折されて水路の側部９に密着される。
【００１０】
これにより、本起伏堰装置１では、側部水密ゴム１１によって水路の側部９と扉体４との間からの漏水が防がれる。なお、本起伏堰装置１では、長径間（水路幅方向）に複数の扉体４が並設されるが、この場合、相互に隣接される扉体４間の双方のスキンプレート５の隣り合う縁部に固定される中間水密ゴムによって、隣接される扉体４の間からの漏水が防がれる。また、図１及び図３に示されるように、本起伏堰装置１は、上記掘り下げ部３の水路上流側部分が、断面がクランク状に形成される鋼材１７によって補強される。そして、該鋼材１の中間片１７の上部には、上記扉体４の軸部８を支持する軸受部１９が形成される支持ブロック１８が設けられる。該支持ブロック１８には、水路幅方向（図１における紙面視方向）に複数個の上記軸受部１９が設けられて、各軸受部１９には、上部が開口された溝部２０が設けられる。そして、本起伏堰装置１は、各軸受部１９の各溝部２０に上記扉体４の軸部８とスペーサ２１とが順次挿入された後、カバー２２によって各溝部２０の開口が閉塞される。
【００１１】
これにより、本起伏堰装置１は、各軸受部１９によって、並設された複数の各扉体４が、水路幅方向（図１における紙面視方向）へ延びる同一軸線上に配置された軸部８の回りに回動可能に支持される。なお、図１に示されるように、本起伏堰装置１では、上記鋼材１７の上片１ｂが河床２よりも低い位置に配置されて、ゴム押え板２３及びボルト２４によって、下部水密ゴム２５の水路上流側の端縁部が上記鋼材１の上片１ｂに圧締されると共に、ゴム押え板２６及びボルト２７によって下部水密ゴム２５の水路下流側の端縁部が扉体４の補強部材６に架設されたゴムベース２８に圧締される。そして、本起伏堰装置１では、ゴムベース２８とスキンプレート５との間隙が水密板２９によって閉塞されることにより、扉体４の起立時におけるスキンプレート５の下方からの漏水が防がれる。また、図４に示されるように、本起伏堰装置１は、扉体４の倒伏時に、上記下部水密ゴム２５が、支持ブロック１８及びカバー２２によって支持される。
【００１２】
図１に示されるように、本起伏堰装置１は、上記掘り下げ部３にゴム引布製の袋体３０が設けられる。上記袋体３０は、水路上流側（図１における紙面視左側）に、水路幅方向（図１における紙面視方向）へ延びる板状の被固定部３１が形成されて、該被固定部３１の水路上流側端部に、当該端部に沿って心棒３７が植え込まれる。これにより、被固定部３１の水路上流側端部が心棒３の半径方向へ拡張されて当該被固定部３１の水路上流側端部に被係止部３２が形成される。そして、図１に示されるように、袋体３０は、上記被固定部３１が上記支持ブロック１８の直下に配置されて、且つ被係止部３２が、鋼材１７の下片１ｃに固定される固定金具３３によって係止される。なお、該固定金具３３は、円筒状の係止部３３ａが支持ブロック１８の軸受部１９の直下に配設されて、該係止部３３に接合される取付部３３ｂがアンカーボルト３４によって鋼材１の下片１ｃを介してコンクリート製基礎（掘り下げ部３）に固定される。また、袋体３０は、内部空間３０に、コンクリート製基礎中に配設される給排管３５が連通されており、該内部空間３０ａに空気給排装置によって空気が給排されることにより袋体３０が膨張又は収縮される。
【００１３】
また、本起伏堰装置１は、図４に示される袋体３０が収縮されて扉体４が倒伏された状態では、扉体４の上部（図４における紙面視右側）背面が掘り下げ部３に設定された支持部材によって支持されて、扉体４が略水平に保持される。なお、この状態では、下部水密ゴム２５の上面の高さが水路の直上流の底部２の高さ以下に設定される。また、本起伏堰装置１は、袋体３０の内部空間３０ａに圧縮空気が供給されて当該袋体３０が膨張されることにより、扉体１４が軸部８の回りに図１における紙面視で反時計回り方向へ回動される。そして、図１に示されるように、支持ブロック１８の上部に形成されたストッパ３６に扉体４の各補強部材６の各水路上流側端部６ａの水路上流側を向いた端面６ｂ（図３参照）の上部が当接されることにより、扉体４の回動動作が制限されて当該扉体４が掘り下げ部３（河床２）に対して所定角度で起立される。なお、図１に示される扉体４が起立された状態では、下部水密ゴム２５は、水路長さ方向（図１における紙面視左右方向）中央が弾性変形されて凸状に隆起される。
【００１４】
次に、本起伏堰装置１の作用を説明する。図４に示されるように、袋体３０が収縮されて扉体４が倒伏された状態では、下部水密ゴム２５を含む装置全体の高さが、掘り下げ部３に対して水路直上流の底部２よりも低く抑えられる。これにより、本起伏堰装置１では、水流中の塵芥が補強部材６、軸部８、軸受部１９等の主要部に絡み付くことが防がれると共に、土石を含む水流が円滑に流下される。また、本起伏堰装置１では、下部水密ゴム２５が、支持ブロック１８及びカバー２２によって支持されていることにより、転石や土砂等が安全に流下される。この状態で、袋体３０の内部空間３０ａに圧縮空気が供給されて袋体３０が膨張されることにより、袋体３０によって扉体４の背面が押圧されて、側部水密ゴム１１が水路の側部９に摺動されつつ、当該扉体４が軸部８の回りに図４における紙面視反時計回り方向へ回動される。この時、本起伏堰装置１では、袋体３０の被固定部３１が軸受部１９の直下に配置されることにより、袋体３０が扉体４に密着されて、袋体３０と扉体４とが相対運動されて双方が擦れ合う量が少なくなる。なお、本起伏堰装置１では、扉体４が起立された状態から袋体３０が収縮されて、扉体４が軸部８の回りに図１における紙面視時計回り方向へ回動される場合であっても、袋体３０が扉体４に密着されて、袋体３０と扉体４とが相対運動されて双方が擦れ合う量が少なくなり、当該袋体３０にまくれ込みや無理な張力が作用されるのが防がれる。
【００１５】
そして、図１に示されるように、本起伏堰装置１では、扉体４の各補強部材６の各水路上流側端部６ａの水路上流側を向いた端面６ｂ（図３参照）の上部が支持ブロック１８の上部に形成されたストッパ３６に当接されることにより、扉体４の回動動作が制限されて、当該扉体４が掘り下げ部３（河床２）に対して所定角度で起立されて保持される。なお、並設された複数の各扉体４が起立された状態では、水路幅方向両側に配置された各扉体４と水路の側部９との間の漏水が各側部水密ゴム１１によって防がれると共に、相互に隣接される扉体４間の漏水が中間水密ゴムによって防がれる。また、本起伏堰装置１では、複数の各扉体４と河床２との間の漏水が、下部水密ゴム２５及び水密板２９によって防がれる。さらに、本起伏堰装置１では、スポイラ１６によって、各扉体４を越える水流の水脈による当該扉体４の振動が防止される。
【００１６】
この実施の形態では以下の効果を奏する。
本起伏堰装置１は、扉体４の各補強部材６の各水路上流側端部６ａの水路上流側を向いた端面６ｂの上部が支持ブロック１８の上部に形成されたストッパ３６に当接されることにより、当該扉体４の起立側の回動動作が制限されて、扉体４が起立された状態で保持される。また、本起伏堰装置１は、ストッパ３６が下部水密ゴム２５によって保護される。
したがって、本起伏堰装置１では、従来の起伏堰装置において扉体４の起立側の回動動作を制限するために用いられていた引止帯が廃止されて、従来の起伏堰装置の問題点、即ち、引止帯に水中の塵芥が絡み付くことに起因する扉体４の動作不良の点が解消される。また、扉体４の各補強部材６の水路上流側端部６ａとストッパ３６との間に、塵芥、土砂等が噛み込まれることが回避される。これにより、扉体４が確実に動作されて当該装置１の信頼性が高められる。さらに、引止帯が廃止されることで、調整等の施工が容易になり、施工期間が短縮される。
【００１７】
本起伏堰装置１は、河床２に設けられた掘り下げ部３に設置されるため、河床２（掘り下げ部３の水路直上流の底部２）よりも高い位置に突出される部位が皆無である。
したがって、本起伏堰装置１では、扉体４の倒伏時に、扉体４、軸部８、軸受部１９等の主要部に水流中の塵芥が絡み付くことが防止される。これにより、水中の塵芥が絡み付くことに起因する扉体４の動作不良が解消されて、扉体４が確実に動作されることで当該装置１の信頼性が高められる。
また、本起伏堰装置１は、扉体４の倒伏時に、下部水密ゴム２５が支持ブロック１８及びカバー２２によって支持されるため、下部水密ゴム２５が撓んで当該下部水密ゴム２５上に転石や土砂等が滞留されることがなく、転石や土砂等が安全に流下される。
【００１８】
本起伏堰装置１は、袋体３０の被固定部３１が、扉体４の軸部８を支持する軸受部１９の直下に配置される。
したがって、本起伏堰装置１では、袋体３０が扉体４に密着された状態で当該袋体３０が膨張又は収縮される。これにより、袋体３０と扉体４とが相対運動されて双方が擦れ合わされる量が少なくなり、袋体３０にまくれ込みが生じたり無理な張力が作用されることがなく、当該袋体３０の破損が防止される。
【図面の簡単な説明】
【００１９】
【図１】本起伏堰装置の説明図であって、特に、扉体が起立された状態を示す図である。
【図２】図１における−断面を示す図である。
【図３】本起伏堰装置の分解斜視図である。
【図４】本起伏堰装置の説明図であって、特に、扉体が倒伏された状態を示す図である。
【符号の説明】
【００２０】
１  起伏堰装置、２  河床、３  掘り下げ部、４  扉体、６ａ  水路上流側端部（扉体の上流側端部）、８  軸部、１９  軸受部、２５  下部水密ゴム（水密ゴム板）、３６  ストッパ
【図１】
2005344469.tif 000003
【図２】
2005344469.tif 000004
【図３】
2005344469.tif 000005
【図４】
2005344469.tif 000006